(57)【要約】【課題】雄ねじ部の軸線方向及び軸線方向に直交する方向に対して取付けたクリップが外れ難い端子ねじを提供する。【解決手段】本発明の端子ねじ１は、雄ねじ部１１と頂部にリセス２７が設けられた頭部１３とからなる端子台用の端子ねじ１であって、頭部１３は、横断面形状が６つの突起２１を有する星形様の柱部１９と、該柱部１９の上下に該柱部１９よりも直径の大きい円盤部１５、１７とを有し、前記柱部１９は、挟み取付けるクリップが係止するクリップ取付部である。【選択図】図１
2013189998.tif 000002
【特許請求の範囲】
【請求項１】
雄ねじ部と頂部にリセスが設けられた頭部とからなる端子台用の端子ねじであって、
前記頭部に挟み取付けるクリップが係止するクリップ取付部が設けられていることを特徴とする端子ねじ。
【請求項２】
前記頭部は、クリップ取付部である、表面に凹凸を有する柱部と、該柱部の上に設けられた突起部とを有することを特徴とする請求項１に記載の端子ねじ。
【請求項３】
前記頭部は、球体の中心よりも下方の一部が水平に切断された球冠、又は回転楕円体の中心よりも下方の一部が水平に切断された球冠様体からなり、頭部の中心部又は下部がクリップ取付部であることを特徴とする請求項１に記載の端子ねじ。
【請求項４】
前記頭部は、表面が滑り止め加工されていることを特徴とする請求項３に記載の端子ねじ。
【発明の詳細な説明】
【技術分野】
【０００１】
本発明は、端子台に使用する端子ねじに関する。
【背景技術】
【０００２】
電気機器等で電線を接続するために用いられる端子台において、配線されている電線の絶縁を調べる、あるいはそこを流れている信号を調べるような場合に、測定器を接続する必要が生じる。このような場合、測定器のリード線の先端に設けられたミノムシクリップ、又はワニ口クリップ（以下、クリップと記す）を、電線を固定している端子台の端子ねじの頭部に挟み付け、電線と測定器のリード線とを接続する方法が多く用いられる。
【０００３】
しかしながら端子ねじは、頭部が丸くなっているのでクリップが外れ易いという問題がある。このような問題を解決するためにこれまでに多くの方法が提案されている。例えば、端子台、端子ねじを改良することなく従来の端子台、端子ねじをそのまま利用することができる専用のクリップ、クリップを接続するための接続具が開発されている（例えば特許文献１〜４参照）。一方、従来のクリップをそのまま使用しても外れ難い端子ねじも開発されている（例えば特許文献５参照）。
【先行技術文献】
【特許文献】
【０００４】
【特許文献１】特許平８−２７３７２７号公報
【特許文献２】特開２００９−１７０２６４号公報
【特許文献３】特開２０１０−８０２５６号公報
【特許文献４】特許２０１１−９０８８２号公報
【特許文献５】特開２００７−２９４３１０号公報
【発明の概要】
【発明が解決しようとする課題】
【０００５】
特許文献１から４に記載の専用のクリップの場合、現用のクリップを使用することができない。さらに専用のクリップ又はクリップを接続するための接続具を使用する場合、構造的に取付方向・取付場所が制限される。特許文献５に記載の端子ねじは、ねじ部と頭部との間に段差部を設け、この段差部にクリップを取付け使用する。この端子ねじは、段差部が設けられているので上部方向（ねじ部の軸線方向）にはクリップは外れ難いが、ねじ部の軸線方向に直交する方向に対してのクリップの外れに対しては何らの記載もなく、対策も特に記載されていない。
【０００６】
本発明の目的は、雄ねじ部の軸線方向及び軸線方向に直交する方向に対して、取付けたクリップが外れ難い端子ねじを提供することである。
【課題を解決するための手段】
【０００７】
本発明は、雄ねじ部と頂部にリセスが設けられた頭部とからなる端子台用の端子ねじであって、前記頭部に挟み取付けるクリップが係止するクリップ取付部が設けられていることを特徴とする端子ねじである。
【０００８】
また本発明は、前記端子ねじにおいて、前記頭部は、クリップ取付部である、表面に凹凸を有する柱部と、該柱部の上に設けられた突起部とを有することを特徴とする。
【０００９】
また本発明は、前記端子ねじにおいて、前記頭部は、球体の中心よりも下方の一部が水平に切断された球冠、又は回転楕円体の中心よりも下方の一部が水平に切断された球冠様体からなり、頭部の中心部又は下部がクリップ取付部であることを特徴とする。
【００１０】
また本発明は、前記端子ねじにおいて、前記頭部は、表面が滑り止め加工されていることを特徴とする。
【発明の効果】
【００１１】
本発明の端子ねじは、頭部にクリップを取付けるためのクリップ取付部が設けられているので、クリップを簡単に、かつしっかりと固定することが可能であり、取付けたクリップは、雄ねじ部の軸線方向及び軸線方向に直交する方向に対して外れ難い。
【図面の簡単な説明】
【００１２】
【図１】本発明の第１実施形態としての端子ねじ１の正面図及び平面図である。
【図２】図１の端子ねじ１を端子台２００に取付け、さらに端子ねじ１にクリップ１００を取付けた図である。
【図３】図１の端子ねじ１にクリップ１００を取付けた状態で、上の円盤部１５と柱部１９との境界を横方向に切断した断面図である。
【図４】図１の端子ねじ１に被せた絶縁キャップ５０の破断面図である。
【図５】本発明の第２実施形態としての端子ねじ２の正面図及び平面図である。
【図６】図５の端子ねじ２にクリップ１００を取付けた状態を示す正面図である。
【図７】図６の矢視Ａ方向から見た破断面図である。
【図８】図５の端子ねじ２を端子台２００に取付け、さらに端子ねじ２にクリップ１００を取付けた図である。
【発明を実施するための形態】
【００１３】
図１は、本発明の第１実施形態としての端子ねじ１の正面図（Ａ）及び平面図（Ｂ）である。図２は、端子ねじ１を端子台２００に取付け、さらに端子ねじ１にクリップ１００を取付けた図である。図３は、図１の端子ねじ１にクリップ１００を取付けた状態で、上の円盤部１５と柱部１９との境界を横方向に切断した断面図である。
【００１４】
端子ねじ１は、端子台２００に使用する端子台用のねじであり、雄ねじ部１１と雄ねじ部１１の上方に位置する頭部１３とからなり、これらは鋼材、ステンレス材、又は黄銅材など金属材料で一体的に形成されている。雄ねじ部１１は、全ねじとなっているが通常のねじの雄ねじ部と変わるところはない。
【００１５】
頭部１３は、上下に雄ねじ部１１よりも直径が大きい板状の円盤部１５、１７を有し、上下の円盤部１５、１７の間に、円盤部１５、１７よりも径の小さい柱部１９を有する。下の円盤部１７の直径を雄ねじ部１１の直径に比べ大きくすることで、雄ねじ部１１と頭部１３との境界に段差部２３を形成させる。上の円盤部１５の上面２５には、ドライバが係止する十字状のリセス２７が設けられている。ここでは十字状のリセス２７を示すが、リセス２７の形状は、他の形状であってもよい。
【００１６】
上下の円盤部１５、１７の直径は異なっていてもよいが、製造上、同じであることが好ましい。さらに頭部１３に後述の絶縁キャップ５０を被せて使用する場合には、絶縁キャップ５０を外れ難くするためにも上下の円盤部１５、１７の直径が同一であることが好ましい。
【００１７】
上下の円盤部１５、１７の厚さは、特定の厚さに限定されるものではないが、必要以上に厚くすると頭部１３の高さが高くなり好ましくない。上下の円盤部１５、１７は、柱部１９に取付けられるクリップ１００が上下方向（雄ねじ部１１の軸線方向）に外れることを防止する突起として機能させ、さらに下の円盤部１７は、雄ねじ部１１との境界に段差部２３を形成するためのものであるから形状は必ずしも円でなくてもよい。六角形、八角形でもよいが、製造の点からは円が容易である。また上の円盤部１５に代え、通常のねじの頭部に見られるなべ状としてもよい。
【００１８】
柱部１９は、クリップ１００を取付けるクリップ取付部であり、この部分にミノムシクリップ、ワニ口クリップなどを挟み固定する。柱部１９は、横断面形状が６か所の突起２１を有する星形様であり、高さ方向の太さ（径）は同一である。柱部１９の径は、上下の円盤部１５、１７の直径よりも小さい。ここで柱部１９の径は、横断面に外接する円の直径を言う。
【００１９】
柱部１９の径は、上下の円盤部１５、１７を突起として機能させる点から上下の円盤部１５、１７の直径よりも小さいことが必要である。本実施形態では、柱部１９の径は、雄ねじ部１１の直径よりも大きくなっているが、雄ねじ部１１と同じ大きさであってもよい。雄ねじ部１１の直径よりも細くすることも可能であるが、強度を考えれば雄ねじ部１１の直径と同等以上の径が一般的であろう。
【００２０】
柱部１９の高さＨは、図２に示すようにクリップ１００が上下の円盤部１５、１７に引っ掛からないようにクリップ１００の高さｈに比べ少し高い。柱部１９の高さＨは、クリップ１００が上下の円盤部１５、１７に引っ掛からない高さがあればよく、必要以上に高くすべきではない。頭部１３が高くなり過ぎると、端子台２００に取付けたとき端子カバー２３０を取り付けることができなくなる。
【００２１】
柱部１９は、横断面形状が６か所の突起２１を有する星形様であるため柱部１９の表面は、凹凸となっている。これは取付けたクリップ１００が滑らず、クリップ１００をしっかりと係止、固定させるためである。よって突起の数は６に限定されるものではなく、８あるいは２０、さらには、それ以上であってもよい。突起の数及び高さは、クリップ１００をしっかりと係止することができ、製造が容易なものが好ましい。
【００２２】
以上からなる端子ねじ１は、頭部１３にクリップ取付部を備えるので、クリップ１００を確実に固定することができる。またクリップ取付部である柱部１９の上下は、突起として機能する円盤部１５、１７で挟まれているので、取付けたクリップ１００は、雄ねじ部１１の軸線方向には外れ難い。さらにクリップ取付部である柱部１９は、横断面形状が星形様であるので、取付けたクリップ１００は、一対のクリップ体１０２が柱部１９にしっかりと係止し、雄ねじ部１１の軸線方向に直交する方向に対しても外れ難い。
【００２３】
なお、上記端子ねじ１は、円盤部１５、１７を上下に有するが、下の円盤部１７を省略してもよい。下の円盤部１７を省略する場合には、柱部１９の径を雄ねじ部１１の直径よりも大きくする必要がある。下の円盤部１７は、突起として機能する以外に、電線２１５を抑えつけ固定する固体板として機能するため、この点も考慮して柱部１９の径を決定すべきである。なお、下の円盤部１７を省略しても端子台２００に取付ければ、端子台２００の基材２１０、ワッシャ２２０が端子ねじ１の移動を阻止する。
【００２４】
上記端子ねじ１は、従来のねじと比較すると頭部１３の高さが高い。さらに上下の円盤部１５、１７を同じ直径とすれば、頭部１３は、中央部が凹んだ円柱ともいえる。このため頭部１３を覆う絶縁キャップ５０を確実に取付けることができる。
【００２５】
図４は、端子ねじ１に被せた絶縁キャップ５０の破断面図である。絶縁キャップ５０は、上面５４が塞がれた円筒材５２からなり、形状も単純なので容易に製造することができる。絶縁キャップ５０を取り付けることで、絶縁カバー２３０を取り外しても端子ねじ１を個別にカバーすることが可能であり、導通テストなどにおいて誤接触による短絡、地絡を防止することができる。
【００２６】
図５は、本発明の第２実施形態としての端子ねじ２の正面図（Ａ）及び平面図（Ｂ）である。図６は、端子ねじ２にクリップ１００を取付けた状態を示す正面図である。図７は、図６の矢視Ａ方向から見た破断面図である。図８は、端子ねじ２を端子台２００に取付け、さらに端子ねじ２にクリップ１００を取付けた図である。図１から４に示す第１実施形態の端子ねじ１と同一の構成には、同一の符号を付して説明を省略する。
【００２７】
端子ねじ２は、第１実施形態の端子ねじ１と同様に、雄ねじ部１１と雄ねじ部１１の上方に位置する頭部１４とからなり、これらは鋼材、ステンレス材、又は黄銅材など金属材料で一体的に形成されている。端子ねじ２と端子ねじ１とは、基本的構成を同じくするが、頭部１４の形状が大きく異なる。
【００２８】
頭部１４は、回転楕円体の長軸を含む水平面よりも下方の一部が水平に切り取られた球冠様の形状を有する。ここで、下方の一部が水平に切り取られる前の回転楕円体は、短軸を鉛直方向とし、短軸を中心に楕円を回転させた扁平楕円体である。
【００２９】
頭部１４は、後述のように中心部３３及び下部３５がクリップ取付部として使用される。ここで頭部１４の中心部３３は、下方の一部が水平に切り取られる前の回転楕円体の長軸を含む水平面を中心とした上下一定の範囲であって、表に表れている部分（表面）である。頭部１４の下部３５は、下方の一部が水平に切り取られる前の回転楕円体の長軸を含む水平面よりも下方であって、表に表れている部分（表面）を言う。
【００３０】
扁平楕円体の短軸／長軸が小さくなると、中心部３３及び下部３５の長さ（高さ方向の長さ）が短くなり、クリップ１００が取付け難くなる。逆に扁平楕円体の短軸／長軸が大きくなると、球に近づくため中心を挟んだ上下の傾斜が緩やかになり、取付けたクリップ１００の固定能が少し低下する。以上の点から扁平楕円体の長軸と短軸との比は、短軸／長軸＝０．７〜０．９が好ましい。
【００３１】
切り取られた平面部が、頭部１４の底面２９であり、底面２９の下方に雄ねじ部１１が設けられている。頭部１４の底面２９の直径は、雄ねじ部１１の直径よりも大きく、頭部１４と雄ねじ部１１との境界に段差部２３を有する。頭部１４の頂部３１には、ドライバが係止する十字状のリセス２７が設けられている。ここでは十字状のリセス２７を示すが、リセス２７の形状は、他の形状であってもよい。
【００３２】
頭部１４は、球冠様体であるが、ここでは、下方の一部が水平に切り取られる前の回転楕円体の中心（長軸）３２が残っていることが重要である。これは、頭部の中心部３３をクリップ取付部として使用するためである。よって回転楕円体の中心３２よりも上で切断したものは頭部１４として適さない。回転楕円体の中心３２よりも僅かでも下方で切り取れば、回転楕円体の中心３２は残るが、回転楕円体の中心３２近くで切断すると、十分にクリップ取付部を確保することができないので好ましくない。一方、回転楕円体の下方の端部近傍を切断すれば、クリップ取付部を十分に確保することができるが、雄ねじ部１１との境界に段差部２３を確保することができなくなる。
【００３３】
頭部１４は、回転楕円体の最大直径部である中心（中心線）３２が含まれる中心部３３をクリップ取付部として使用する他、下部３５もクリップ取付部として使用することができる。頭部１４の下部３５もクリップ取付部として使用することも考えれば、回転楕円体の下端から短軸の長さの１／８〜１／４で切断することが好ましい。
【００３４】
本実施形態の頭部１４は、回転楕円体の中心３２よりも下方の一部が水平に切り取られた球冠様の形状を有するが、球の下方を切断した球冠を使用してもよい。回転楕円体の長軸長と球の直径を等しくした場合、球冠に比べ、回転楕円体の中心３２よりも下方の一部が水平に切り取られた球冠様体の方が、中心３２を挟んだ上下の傾斜がきつい。このためにクリップ１００の外れ難さの点からは、回転楕円体の中心３２よりも下方の一部が水平に切り取られた球冠様体の方が好ましい。
【００３５】
頭部１４の表面には、底面２９及びリセス２７を除き、表面に多数のけがき線のような浅い溝３７が設けられ、表面は平ではなく凹凸面となっている。これは取付けたクリップ１００が滑って外れることを防止するためである。頭部１４の表面の凹凸は、取付けたクリップ１００を滑ることなく確実に係止させるための滑り止めであるから、けがき線のような浅い溝３７に代え、表面をサンドブラスト加工、ローレット加工などにより滑り止め加工してもよい。
【００３６】
以上からなる端子ねじ２は、頭部１４の中心部３３が第１のクリップ取付部となる。クリップ１００のクリップ体１０２は、図７に示すように縦断面形状がコ字状であるので、クリップ１００を端子ねじ２の第１のクリップ取付部に取付けると、クリップ体１０２の上下の挟持部１０４、１０６は、頭部１４の中心３２に接触することなく頭部１４の中心３２の上下の頭部表面に係止する。
【００３７】
第１のクリップ取付部にクリップ１００を取付けた状態で、クリップ１００を上方に移動させようとすると、クリップ体１０２の下の挟持部１０６は、頭部１４の中心３２に向って移動することとなる。このためクリップ体１０２の左右一対の下の挟持部１０６は、広がろうとするが、クリップ１００に設けられている左右一対のクリップ体１０２を閉じるねじりコイルばね（図示省略）により、広がりが阻止される。
【００３８】
同様に、第１のクリップ取付部にクリップ１００を取付けた状態で、クリップ１００を下方に移動させようとする場合には、クリップ体１０２の上の挟持部１０４が頭部１４の中心３２に向って移動することとなるため、移動が阻止される。
【００３９】
以上のように頭部１４の中心３２を挟んでクリップ１００を取付けると、中心部３３が一種の突起として作用し、クリップ１００の移動を制限する。これによりクリップ１００をしっかり固定することができる。
【００４０】
端子ねじ２を端子台２００に取付けた状態では、頭部１４の下部３５をクリップ取付部とすることができる。頭部１４の下部３５は、直径を縮小するように傾斜しているので、この部分にクリップ１００を取付けるとクリップ体１０２の上の挟持部１０４のみが頭部１４に接触する。このときクリップ１００は、ねじりコイルばね（図示省略）が左右のクリップ体１０２の間隔を狭めようとするため、クリップ１００は、下方に移動しようとする。しかし下方にはワッシャ２２０がいるため、クリップ１００は、ワッシャ２２０により移動が阻止される。
【００４１】
以上のように頭部１４の下部３５にクリップ１００を取付けると、クリップ１００は、頭部１４の下方に移動しようとするが、ワッシャ２２０、端子台の基材２１０により移動が阻止される。これによりクリップ１００は、頭部１４と端子台２００との間に挟まれた状態となり、頭部１４にしっかりと固定される。
【００４２】
上記端子ねじ２は、端子ねじ１と同様に従来のねじと比較すると頭部１４の高さが高く、端子ねじ１と同様に頭部１４を覆う絶縁キャップ５０を確実に取付けることができる。絶縁キャップ５０の構成、作用効果は、第１実施形態に記した通りである。
【００４３】
以上のように本発明の端子ねじは、頭部にクリップを取付けるためのクリップ取付部が設けられているので、クリップを簡単に、かつしっかりと固定することが可能であり、取付けたクリップは、ねじ部の軸線方向及び軸線方向に直交する方向に対して外れ難い。さらにクリップ取付部の表面に凹凸を設けることで、より確実にクリップを固定することができる。
【００４４】
本発明の端子ねじは、構造が簡単で製造が容易であり、さらに既存の端子台、ミノムシクリップ、ワニ口クリップなどを改良することなく使用することが可能であるので使い勝手がよい。なお、本発明の端子ねじは、上記実施形態に限定されるものではなく、要旨を変更しない範囲で変更して使用することができる。例えば第２実施形態の端子ねじ２において、頭部１４の上方を水平に切断し、上面を平らにし、ここにリセス２７を設けてもよい。
【符号の説明】
【００４５】
１  端子ねじ
２  端子ねじ
１１  雄ねじ部
１３  頭部
１４  頭部
１５  上の円盤部
１７  下の円盤部
１９  柱部
２１  突起
２５  上の円盤部の上面
２７  リセス
３１  頂部
３２  回転楕円体の中心
３３  頭部の中心部
３５  頭部の下部
３７  溝
５０  絶縁キャップ
１００  クリップ
２００  端子台
【図１】
2013189998.tif 000003
【図２】
2013189998.tif 000004
【図３】
2013189998.tif 000005
【図４】
2013189998.tif 000006
【図５】
2013189998.tif 000007
【図６】
2013189998.tif 000008
【図７】
2013189998.tif 000009
【図８】
2013189998.tif 000010